(57)【特許請求の範囲】
【請求項１】
気体の吸込口及び気体出口を有する流路、前記流路内の気体を流動させる気体流動部、及び前記流路内の気体を加熱する気体加熱部を備えたドライヤ本体と、
気体入口及び気体の吐出口を有する内部空間を備えたアタッチメントと、
一方の端部側が前記ドライヤ本体の前記気体出口側に取り付けられ、他方の端部側が前記アタッチメントの前記気体入口側に取り付けられ、前記ドライヤ本体の前記流路及び前記アタッチメントの前記内部空間を連通させる接続空間を備えたアダプタと、
を備え、
前記アダプタに磁石が固定され、
前記アタッチメントの前記気体入口側に磁性部材が固定されて、磁力により前記アダプタが前記アタッチメントに着脱可能な状態で取り付けられ、
磁力または機械的な着脱機構により、前記アダプタが前記ドライヤ本体に着脱可能な状態で取り付けられ、
前記アダプタが、前記磁石が固定された第１の中央部材と、前記第１の中央部材から放射状に延びた複数の第１のアーム部とを有し、放射状に延びた前記第１のアーム部の外側の端部が前記アダプタの外殻部に接続しており、
前記アタッチメントが、前記磁性部材が固定された第２の中央部材と、前記第２の中央部材から放射状に延びた複数の第２のアーム部とを有し、放射状に延びた前記第２のアーム部の外側の端部が前記アタッチメントの外殻部に接続しており、
複数の前記第１のアーム部の間の空間及び複数の前記第２のアーム部の間の空間を気体が流れることを特徴とするヘアドライヤ。
【請求項２】
磁力により前記アダプタが前記ドライヤ本体に着脱可能な状態で取り付けられており、
前記ドライヤ本体及び前記アダプタの間の磁力が、前記アダプタ及び前記アタッチメントの間の磁力より強くなっていることを特徴とする請求項１に記載のヘアドライヤ。
【請求項３】
機械的な着脱機構により前記アダプタが前記ドライヤ本体に着脱可能な状態で取り付けられており、前記アダプタ及び前記ドライヤ本体の一方に形成された挿入部と、他方に形成された被挿入部による嵌合構造により、前記アダプタが前記ドライヤ本体に着脱可能な状態で取り付けられていることを特徴とする請求項１に記載のヘアドライヤ。
【発明の詳細な説明】
【技術分野】
【０００１】
本発明は、ドライヤ本体の吹出口にアタッチメントを取り付け可能なヘアドライヤに関する。
【背景技術】
【０００２】
ヘアドライヤの中には、ドライヤ本体の吹出口に様々な形状のアタッチメントを取り付けることができるものがある。そのようなヘアドライヤの中には、磁力により、アタッチメントをドライヤ本体に着脱可能にしたものがある（例えば、特許文献１参照）。特許文献１に記載のヘアドライヤでは、ドライヤ本体の前端またはアタッチメントの後端の一方に磁石が埋め込まれ、他方に磁性体を取り付けられている。磁石及び磁性体の間の磁力により、アタッチメントがドライヤ本体に着脱可能な状態で取り付けられる。
【先行技術文献】
【特許文献】
【０００３】
【特許文献１】特開２０１５−１３１２７号
【発明の概要】
【発明が解決しようとする課題】
【０００４】
しかしながら、使用者の使い方によっては、アタッチメントがドライヤ本体から外された状態で放置される場合もあり得る。その場合には、埋め込まれた磁石の磁力が低下して、アタッチメントがドライヤ本体から外れやすくなる問題が生じる。よって、磁石が埋め込まれたドライヤ本体またはアタッチメントを交換する必要が生じる。
更に、使用者が市販の他のアタッチメントを使用しようと思っても、サイズが合わない場合が多いので、ドライヤ本体に取り付けることができない。よって、予めドライヤ本体にサイズの合った専用のアタッチメント以外は使用できない。
【０００５】
よって、本発明の目的は、長期間使用しても主要部材を交換する必要がなく、様々なアタッチメントを使用可能なヘアドライヤを提供することにある。
【課題を解決するための手段】
【０００６】
上記の課題を解決するため、本発明の１つの態様に係るヘアドライヤは、
気体の吸込口及び気体出口を有する流路、前記流路内の気体を流動させる気体流動部、及び前記流路内の気体を加熱する気体加熱部を備えたドライヤ本体と、
気体入口及び気体の吐出口を有する内部空間を備えたアタッチメントと、
一方の端部側が前記ドライヤ本体の前記気体出口側に取り付けられ、他方の端部側が前記アタッチメントの前記気体入口側に取り付けられ、前記ドライヤ本体の前記流路及び前記アタッチメントの前記内部空間を連通させる接続空間を備えたアダプタと、
を備え、
前記アダプタに磁石が固定され、
前記アタッチメントの前記気体入口側に磁性部材が固定されて、磁力により前記アダプタが前記アタッチメントに着脱可能な状態で取り付けられ、
磁力または機械的な着脱機構により、前記アダプタが前記ドライヤ本体に着脱可能な状態で取り付けられる。
【発明の効果】
【０００７】
以上のように、本発明においては、長期間使用しても主要部材を交換する必要がなく、様々なアタッチメントを使用可能なヘアドライヤを提供することができる。
【図面の簡単な説明】
【０００８】
【図１】本発明の第１の実施形態に係るヘアドライヤを模式的に示す側面断面図である。
【図２】本発明の第１の実施形態に係るヘアドライヤのドライヤ本体、アダプタ及びアタッチメントの着脱構造を模式的に示す斜視図である。
【図３】本発明の第１の実施形態に係るヘアドライヤのドライヤ本体、アダプタ及びアタッチメントの着脱構造の変形例１を模式的に示す斜視図である。
【図４】本発明の第１の実施形態に係るヘアドライヤのドライヤ本体、アダプタ及びアタッチメントの着脱構造の変形例２を模式的に示す側面断面図である。
【図５】本発明の第２の実施形態に係るヘアドライヤを模式的に示す側面断面図である。
【図６】本発明の第２の実施形態に係るヘアドライヤのドライヤ本体及びアダプタの着脱構造を模式的に示す斜視図である。
【図７】本発明の第３の実施形態に係るヘアドライヤのドライヤ本体、アダプタ及びアタッチメントの着脱構造を模式的に示す側面断面図である。
【図８Ａ】図７の矢視Ａ−Ａを示す側面図である。
【図８Ｂ】図７の矢視Ｂ−Ｂを示す側面図である。
【図９】図７に示すドライヤ本体、アダプタ及びアタッチメントが組み立てられた本発明の第３の実施形態に係るヘアドライヤを模式的に示す側面断面図である。
【発明を実施するための形態】
【０００９】
以下、図面を参照しながら、本発明を実施するための実施形態を説明する。以下に説明する実施形態は、本発明の技術思想を具体化するためのものであって、特定的な記載がない限り、本発明を以下のものに限定しない。
各図面中、同一の機能を有する部材には、同一符号を付している場合がある。要点の説明または理解の容易性を考慮して、便宜上実施形態を分けて示す場合があるが、異なる実施形態で示した構成の部分的な置換または組み合わせは可能である。後述の実施形態では前述の実施形態と共通の事柄についての記述を省略し、異なる点についてのみ説明する。特に、同様の構成による同様の作用効果については、実施形態ごとには逐次言及しないものとする。各図面が示す部材の大きさや位置関係等は、説明を明確にするため、誇張して示している場合もある。
【００１０】
（本発明の第１の実施形態に係るヘアドライヤ）
はじめに、図１及び図２を参照しながら、本発明の第１の実施形態に係るヘアドライヤ２の説明を行う。図１は、本発明の第１の実施形態に係るヘアドライヤを模式的に示す側面断面図である。図２は、本発明の第１の実施形態に係るヘアドライヤのドライヤ本体、アダプタ及びアタッチメントの着脱構造を模式的に示す斜視図である。
【００１１】
本実施形態に係るヘアドライヤ２は、ドライヤ本体１０と、アダプタ２０と、アタッチメント３０とを備える。何れも樹脂で形成された外殻部１０Ｃ、２０Ｃ、３０Ｃを有する。ドライヤ本体１０は、気体の吸込口１０Ａ及び気体出口１０Ｂを有する流路１２を備える。更に、ドライヤ本体１０は、流路１２内の気体を流動させる気体流動部、及び流路１２内の気体を加熱する気体加熱部を備える。本実施形態では、気体流動部として、電動モータで駆動されるファン４０が用いられ、気体加熱部として、電気抵抗で発熱させるヒータ４２が用いられている。ただし、これに限られるものではなく、気体流動部として、気体を流動させる任意の装置、部材を採用することができ、気体加熱部として、気体を加熱する任意の装置、部材を採用することができる。ドライヤ本体１０には、グリップ部１６が備えられている。
【００１２】
本実施形態のアタッチメント３０は、気体入口３０Ａ及び気体の吐出口３０Ｂを有する内部空間３２を備える。本実施形態の気体の吐出口３０Ｂは、紙面垂直方向に長く伸びた扁平ノズルの形状を有する。アダプタ２０は、一方の端部２０Ａがドライヤ本体１０の気体出口１０Ｂ側の端部と接し、他方の端部２０Ｂがアタッチメント３０の気体入口３０Ａ側の端部と接する。その状態において、アダプタ２０は、ドライヤ本体１０の流路１２及びアタッチメント３０の内部空間３２を連通させる接続空間２２を備える。
【００１３】
アダプタ２０には、接続空間２２の外周を囲むように、リング状の磁石２４が取り付けられている。別の表現をすれば、磁石２４が、アダプタ２０の外殻部２０Ｃの外形に沿った周上に連続して設けられている。磁石２４は、一方の端部２０Ａ及び他方の端部２０Ｂの両方に露出している。ただし、必ずしも磁石２４が露出している必要はなく、十分な磁力が生じる範囲で、磁石２４の表面がアダプタ２０の外殻部２０Ｃに覆われている場合もあり得る。また、アダプタ２０は、樹脂製の外殻部２０Ｃの中にリング状の磁石２４が配置されたものに限られない。例えば、外殻部を有さず、露出させる面を除くリング状の磁石２４の外面を保護層で覆うようにして、アダプタ２０を形成することもできる。
【００１４】
ドライヤ本体１０の気体出口１０Ｂ側の端部には、流路１２の外周を囲むように、リング状の磁性部材１４が取り付けられている。別の表現をすれば、磁性部材１４が、ドライヤ本体１０の外殻部１０Ｃの外形に沿った周上に連続して設けられている。
アタッチメント３０の気体入口３０Ａ側の端部には、内部空間３２の外周を囲むように磁性部材３４が取り付けられている。本実施形態では、６個の磁性部材３４が、周上に等間隔で配置されている。別の表現をすれば、磁性部材３４が、アタッチメント３０の外殻部３０Ｃの外形に沿った周上に断続して設けられている。
磁性部材１４、３４として、鉄、鋼系の材料で形成することを例示できる。
【００１５】
アダプタ２０の磁石２４がドライヤ本体１０の磁性部材１４及びアタッチメント３０の磁性部材３４を引き付けることにより、アタッチメント３０がアダプタ２０を介してドライヤ本体１０に着脱可能な状態で取り付けられる。アダプタ２０の磁石２４の磁力により、ドライヤ本体１０、アダプタ２０及びアタッチメント３０が一体的に接合される。このようなアタッチメント３０が取り付けられたヘアドライヤ２において、ファン４０やヒータ４２により、アタッチメント３０の気体の吐出口３０Ｂから、熱風や冷風を吹き出させることができる。磁力による取り付けなので、アタッチメント３０を容易に取り外すことができる。また、磁性部材３４を有する他の様々な種類のアタッチメント３０も、磁力により、アダプタ２０を介してドライヤ本体１０に着脱可能な状態で取り付けることできる。
【００１６】
仮に、アダプタ２０に取り付けられた磁石２４の磁力が劣化したとしても、ドライヤ本体１０やアタッチメント３０に比べて安価なアダプタ２０のみを交換すれば、主要部材であるドライヤ本体１０やアタッチメント３０を交換することなく、長期間ヘアドライヤ２を使用し続けることができる。
また、本実施形態では、専用のアタッチメント３０だけでなく、市販の様々なアタッチメントを用いることもできる。その場合、例えば、耐熱性を有する接着剤や両面テープを用いて、磁性部材を市販のアタッチメントの端部に接着または貼着することにより実現できる。なお、市販のアタッチメントのサイズが、ドライヤ本体１０のサイズと大きく異なる場合には、アタッチメント側の他方の端部２０Ｂのサイズを変更したアダプタ２０を用いることにより、様々な市販のアタッチメントを利用することができる。
【００１７】
以上のように、本実施形態に係るヘアドライヤ２は、気体の吸込口１０Ａ及び気体出口１０Ｂを有する流路１２、流路１２内の気体を流動させる気体流動部４０、及び流路１２内の気体を加熱する気体加熱部４２を備えたドライヤ本体１０と、気体入口３０Ａ及び気体の吐出口３０Ｂを有する内部空間３２を備えたアタッチメント３０と、一方の端部２０Ａがドライヤ本体１０の気体出口１０Ｂ側の端部と接し、他方の端部２０Ｂがアタッチメント３０の気体入口３０Ａ側の端部と接し、ドライヤ本体１０の流路１２及びアタッチメント３０の内部空間３２を連通させる接続空間２２を備えたアダプタ２０と、を備え、アダプタ２０に磁石２４が取り付けられ、ドライヤ本体１０の気体出口１０Ｂ側の端部及びアタッチメント３０の気体入口３０Ａ側の端部に磁性部材１４、３４が取り付けられ、磁力により、アタッチメント３０がアダプタ２０を介してドライヤ本体１０に着脱可能な状態で取り付けられている。
【００１８】
これにより、長期間使用しても主要部材を交換する必要がなく、様々なアタッチメントを使用可能なヘアドライヤ２を提供することができる。
更に、上記のように、アダプタ２０に備えられた同一の磁石２４で、ドライヤ本体１０の磁性部材１４及びアタッチメント３０の磁性部材３４を引きつける場合には、厚みの薄いコンパクトなアダプタ２０を実現できる。これにより、ヘアドライヤ２全体も小型化できる。
【００１９】
図２から明らかな通り、ドライヤ本体１０の磁性部材１４は周上に連続的に設けられ、アタッチメント３０の磁性部材３４は、周上に断続的に設けられている。よって、磁力による接合面積は、磁性部材１４の方が磁性部材３４より大きくなっている。このため、ドライヤ本体１０及びアダプタ２０の間の磁力が、アダプタ２０及びアタッチメント３０の間の磁力より強くなっている。これにより、使用者がアタッチメント３０の着脱操作を行ったとき、ドライヤ本体１０及びアダプタ２０の間が外れるのか、アダプタ２０及びアタッチメント３０の間が外れるのか不明な不確定な状態が生じるのを回避できる。本実施形態では、常にアダプタ２０がドライヤ本体１０に取り付けられた状態で、容易にアタッチメント３０を着脱することができる。
【００２０】
ドライヤ本体１０及びアダプタ２０の間の磁力の方が強いので、アダプタ２０がドライヤ本体１０に取り付けられた状態が自然に形成される。よって、アタッチメント３０が外された状態であっても、特別な操作を要さずに、常にアダプタ２０の磁石２４がドライヤ本体１０の磁性部材１４を引き付けた状態となっている。よって、１つの磁石２４でドライヤ本体１０及びアタッチメント３０の磁性部材１４、３４を引きつける場合には、唯一の磁石である磁石２４の磁力の劣化を確実に抑制することができる。
【００２１】
＜着脱構造の変形例１＞
次に、図３を参照しながら、本発明の第１の実施形態に係るヘアドライヤ２のドライヤ本体１０、アダプタ２０及びアタッチメント３０の着脱構造の変形例１の説明を行う。図３は、本発明の第１の実施形態に係るヘアドライヤのドライヤ本体、アダプタ及びアタッチメントの着脱構造の変形例１を模式的に示す斜視図である。
変形例１では、アダプタ２０の磁石２４が、上記の実施形態のように周上に連続して設けられておらず、周上に断続して設けられている点で異なる。また、周上に断続して設けられているアタッチメント３０の磁性部材３４の数が、上記の実施形態より少なくなっている点で異なる。
【００２２】
アタッチメント３０の磁性部材３４の数が少なくなっているので、ドライヤ本体１０及びアダプタ２０の間の磁力が、アダプタ２０及びアタッチメント３０の間の磁力より強くなっている。
また、アダプタ２０の磁石２４及びアタッチメント３０の磁性部材３４が共に周上で断続して設けられているので、周方向で磁石２４及び磁性部材３４の位置が一致したときに、はじめてアタッチメント３０をアダプタ２０に接続できる。よって、特別な位置決め部材を要さずに、アダプタ２０及びアタッチメント３０の周方向における位置決めを行うことができる。
【００２３】
＜着脱構造の変形例２＞
次に、図４を参照しながら、本発明の第１の実施形態に係るヘアドライヤ２のドライヤ本体１０、アダプタ２０及びアタッチメント３０の着脱構造の変形例２の説明を行う。図４は、本発明の第１の実施形態に係るヘアドライヤのドライヤ本体、アダプタ及びアタッチメントの着脱構造の変形例２を模式的に示す側面断面図である。
変形例２では、アダプタ２０の一方の端部２０Ａ及び他方の端部２０Ｂの径が異なっており、一方の端部２０Ａ及び他方の端部２０Ｂのそれぞれに、個別の磁石２４Ａ、２４Ｂが取り付けられている点で、上記の実施形態と異なる。
【００２４】
一方の端部２０Ａの磁石２４Ａがドライヤ本体１０の磁性部材１４を引きつけ、他方の端部２０Ｂの磁石２Ｂがアタッチメント３０の磁性部材３４を引きつける。これにより、ドライヤ本体１０、アダプタ２０及びアタッチメント３０が一体的に接合される。
変形例２に示すアタッチメント３０は、内部空間として多数の微細な穴３２が開けられたデフューザタイプのアタッチメントである。アタッチメント３０には、複数の突起形状３６が設けられ、突起形状３６の中にも穴３２があけられている。このような構造により、ファン４０を稼働させた場合、アタッチメント３０の気体の吹出口３０Ｂから、流速が適度に抑えられた風を全体に均一に送ることができる。
【００２５】
以上のように、変形例２では、アダプタ２０に備えられた個別の磁石２４Ａ、２４Ｂで、それぞれドライヤ本体１０及びアタッチメント３０の磁性部材１４、３４を引きつけるようになっている。これにより、ドライヤ本体１０とサイズの異なるアタッチメント３０であっても、確実に、磁力により、アタッチメント３０を、アダプタ２０を介してドライヤ本体１０に着脱可能な状態で取り付けることができる。
【００２６】
例えば、一方の端部２０Ａの磁石２４Ａの数を他方の端部２０Ｂの磁石２Ｂの数より多くすることにより、ドライヤ本体１０及びアダプタ２０の間の磁力が、アダプタ２０及びアタッチメント３０の間の磁力より強くすることができる。ただし、これに限られるものではなく、ドライヤ本体１０の磁性部材１４の数や大きさ、アタッチメント３０の磁性部材３４の数や大きさを調整することにより、ドライヤ本体１０及びアダプタ２０の間の磁力が、アダプタ２０及びアタッチメント３０の間の磁力より強くすることができる。
【００２７】
以上のように、アダプタ２０に備えられた磁石２４と、ドライヤ本体１０及びアタッチメント３０に備えられた磁性部材１４，３４とが、周上に連続または断続して設けることにより、
ドライヤ本体１０及びアダプタ２０の間の磁力、アダプタ２０及びアタッチメント３０の間の磁力を任意に設定することができる。
【００２８】
（本発明の第２の実施形態に係るヘアドライヤ）
次に、図５及び図６を参照しながら、本発明の第２の実施形態に係るヘアドライヤの説明を行う。図５は、本発明の第２の実施形態に係るヘアドライヤを模式的に示す側面断面図である。図６は、本発明の第２の実施形態に係るヘアドライヤのドライヤ本体及びアダプタの着脱構造を模式的に示す斜視図である。
本実施形態では、アダプタ２０が、磁力ではなく、機械的な着脱機構によりドライヤ本体１０に取り付けられている点で、上記の第１の実施形態と異なる。なお、アダプタ２０及びアタッチメント３０の間の着脱は、第１の実施形態と同様に、アダプタ２０の磁石２４の磁力で行われる。
【００２９】
機械的な着脱機構は、主にドライヤ本体１０の外面に設けられた溝部１８と、アダプタ２０の内面に設けられた突起部２６から構成される。溝部１８の幅寸法は、平面視における突起部２６の外形寸法より、少し大きく形成されている。アダプタ２０の内径は、ドライヤ本体１０の外径より少し大きく形成されており、アダプタ２０とドライヤ本体１０とが嵌合するように形成されている。
ドライヤ本体１０の外面に設けられた溝部１８は、気体出口１０Ｂ側の端部から、気体の吸込口１０Ａ側へ軸方向に所定の長さ延び、その後、軸方向と交わる方向に進んで終端している。軸方向と交わる方向に延びる長さは、平面視におけるアダプタ２０の突起部２６の外形の大きくより長くすることが好ましい。
【００３０】
アダプタ２０をドライヤ１０に装着する場合、突起部２６の周方向の位置が溝部１８の開口の位置と合うようにして、アダプタ２０を軸方向で気体の吸入口１０Ａ側にスライドさせて装着する。その後、突起部２６が溝部１８に沿うように、アダプタ２０及びドライヤ本体１０を相対的に周方向に回転させて、突起部２６を溝部１８の軸方向と交わる方向の領域に配置する。溝部１８による突起部２６の拘束により、アダプタ２０をドライヤ１０に確実に取り付けることができる。また、上記と逆の手順により、容易にアダプタ２０をドライヤ１０から取り外すことができる。
【００３１】
アダプタ２０及びアタッチメント３０については、上記の第１の実施形態と同様に、アダプタ２０に備えられた磁石２４の磁力でアタッチメント３０の磁性部材３４を引きつけることにより、両者を接続することができる。
【００３２】
以上のように、第２の実施形態では、アダプタ２０が機械的な着脱機構１８、２６によりドライヤ本体１０に取り付けられている。また、アダプタ２０に磁石２４が取り付けられ、アタッチメント３０の気体入口３０Ａ側の端部に磁性部材３４が取り付けられ、磁力により、アタッチメント３０がアダプタ２０を介してドライヤ本体１０に着脱可能な状態で取り付けられる。
よって、第２の実施形態に係るヘアドライヤ２では、機械的な着脱機構１８、２６により、確実にアダプタ２０をドライヤ本体１０に取り付けることができるとともに、アダプタ２０の磁石２４の磁力により、容易に、アタッチメント３０を、アダプタ２０を介してドライヤ本体１０に着脱可能な状態で取り付けることができる。
【００３３】
第２の実施形態においても、ドライヤ本体１０及びアタッチメント３０に磁石が備えられていないので、仮に、磁石２４の磁力が劣化した場合であっても、アダプタ２０のみを交換すれば、主要部材のドライヤ本体１０やアタッチメント３０を交換することなく、長期間ヘアドライヤ２を使用し続けることができる。また、アダプタ２０を利用して、様々なアタッチメントを用いることもできる。
【００３４】
（本発明の第３の実施形態に係るヘアドライヤ）
次に、図７、図８Ａ、図８Ｂ及び図９を参照しながら、本発明の第３の実施形態に係るヘアドライヤの説明を行う。図７は、本発明の第３の実施形態に係るヘアドライヤのドライヤ本体、アダプタ及びアタッチメントの着脱構造を模式的に示す側面断面図である。図８Ａは、図７の矢視Ａ−Ａを示す側面図である。図８Ｂは、図７の矢視Ｂ−Ｂを示す側面図である。図９は、図７に示すドライヤ本体、アダプタ及びアタッチメントが組み立てられた本発明の第３の実施形態に係るヘアドライヤを模式的に示す側面断面図である。なお、図８Ａ及び図８Ｂでは、図７の断面に対応した部分だけでなく、周方向の全体が示されている。
【００３５】
上記の実施形態に係るヘアドライヤでは、外殻部１０Ｃ、２０Ｃ、３０Ｃの外形に沿った周上に、流路の外周を囲むように磁石や磁性部材が配置されているが、本実施形態では、流路の略中央に磁石２４や磁性部材３４が配置されている点で上記の実施形態と異なる。本実施形態では、磁力により、ダプタ２０がアタッチメント３０に取り付けられており、機械的な着脱機構により、アダプタ２０がドライヤ本体１０に取り付けられている。ドライヤ本体１０、アダプタ２０及びアタッチメント３０の接続領域では、略円形の断面形状有する。ただし、これに限られるものではなく、楕円形、卵形、角部が湾曲した多角形の形状もあり得る。
【００３６】
はじめに、磁力によるアダプタ２０及びアタッチメント３０の着脱機構を説明する。アダプタ２０には、流路の略中央に位置する第１の中央部材２８Ａと、第１の中央部材２８Ａから放射状に延びた３本の第１のアーム部２８Ｂとを有する磁石保持部２８が形成されている。第１の中央部材２８Ａに磁石２４が固定され、３本の第１のアーム部２８Ｂの外端は、アダプタ２０の外殻部２０Ｃに接続されている。放射状に延びた３本の第１のアーム部２８Ｂの間の空間が、気体の流路となり、接続空間２２の一部を構成する。
【００３７】
アタッチメント３０には、流路の略中央に位置する第２の中央部材３８Ａと、第２の中央部材３８Ａから放射状に延びた３本の第２のアーム部３８Ｂとを有する磁性部材保持部３８が形成されている。第２の中央部材３８Ａに磁性部材３４が固定され、３本の第２のアーム部３８Ｂの外端は、アタッチメント３０の外殻部３０Ｃに接続されている。放射状に延びた３本の第２のアーム部３８Ｂの間の空間が、気体の流路となり、内部空間３２の一部を構成する。
【００３８】
アダプタ２０の第１の中央部材２８Ａに固定された磁石２４のアタッチメント３０側の端面は、アダプタ２０の他方の端部２０Ｂに位置している。アタッチメント３０の第２の中央部材３８Ａに固定され磁性部材３４のアダプタ２０側の端部は、アタッチメント３０の気体入口３０Ａに位置している。これにより、磁石２４及び磁性部材３４が互いに接した状態で、磁力により、アダプタ２０及びアタッチメント３０が着脱可能な状態で接続される。
更に、アタッチメント３０の第２の中央部材３８Ａの周囲に周壁部３８Ａ１が形成されている。周壁部３８Ａ１の内面でアダプタ２０の第１の中央部材２８Ａの外面を接するように囲むことにより、アダプタ２０とアタッチメント３０との間の位置決めを行うことができる。これにより、コンパクトな位置決め機構が得られる。
【００３９】
次に、アダプタ２０とドライヤ本体１０とを着脱可能な状態で接合する機械的な機構について説明する。アダプタ２０の一方の端部２０Ａからドライヤ本体側に、外径が少し小さくなった段差形状の挿入部２９が形成されている。一方、ドライヤ本体１０の気体出口１０Ｂ側の領域には、内径が少し広くなった段差形状の被挿入部１９が形成されている。挿入部２９の外径と被挿入部１９の内径とは概ね一致している、よって、図７の矢印に示すように、挿入部２９を被挿入部１９内に挿入させることにより、図９に示すような嵌合構造（所謂、印篭（インロー）接続構造）で、アダプタ２０とドライヤ本体１０とが接続される。このような、挿入部２９及び被挿入部１９により、本実施形態の機械的な着脱機構が構成されている。
【００４０】
例えば、挿入部２９の外径が被挿入部１９の内径より僅かに大きな絞まり嵌めとすることにより、アダプタ２０とドライヤ本体１０とを強く接合することができる。アダプタ２０及びドライヤ本体１０が樹脂材料で形成されている場合には、弾性変形するので、使用者は、比較的容易に、アダプタ２０をドライヤ本体１０から取り外すことができる。特に、アダプタ２０の側面を押して、少し凹ますようにすることにより、比較的小さな力で、アダプタ２０をドライヤ本体１０から取り外すことができる。なお、本実施形態では、アダプタ２０に挿入部２９が形成され、ドライヤ本体１０に被挿入部１９が形成されているが、これに限られるものではない、逆に、アダプタ２０に被挿入部が形成され、ドライヤ本体１０に挿入部が形成されている場合もあり得る。
【００４１】
アダプタ２０及びドライヤ本体１０の嵌合部分の断面形状が円形ではなく、周方向で外形、内形が変化する形状にして、アダプタ２０及びドライヤ本体１０を相対的に回転させることにより、両者が固定される回転位置と、両者の間に隙間が生じる回転位置を有する着脱機構を採用することもできる。更に、第２の実施形態のような、溝部１８及び突起部２６から構成された着脱機構を採用することもできる。
なお、機械的な着脱機構は、図９に示すような嵌合構造（所謂、印篭（インロー）接続構造）や、溝部１８及び突起部２６を用いたものに限られず、簡易に速やかに着脱可能なその他の任意の機械的な着脱機構を採用できる。
【００４２】
中央部材２８Ａ（３８Ａ）から放射状に延びたアーム部２８Ｂ（３８Ｂ）の数は、３本に限られるものではない。２本で場合もあり得るし、４本以上の場合あり得る。十分な強度を得るとともに、より大きな気体の流路を確保するため、アーム部２８Ｂ（３８Ｂ）の断面形状は、気体の流れに平行な方向の寸法が長く、気体の流れに直交するアーム部の幅方向の寸法が小さいのが好ましい。本実施形態では、３本のアーム部２８Ｂ（３８Ｂ）が、約１２０度の間隔を開けて周方向で均等に配置されているが、これに限られるものではない。アーム部２８Ｂ（３８Ｂ）の配置に変化を付けて、気体の流れを用途に応じて変化させることもできる。
【００４３】
本実施形態では、気体の流動抵抗を減らすため、アダプタ２０の第１のアーム部２８Ｂ及びアタッチメント３０の第２のアーム３８Ｂの周方向の位置を一致させているが、これに限られるものではない。第１のアーム部２８Ｂ及び第２のアーム３８Ｂの周方向の位置を異ならせることもできる。また、アダプタ２０の第１のアーム部２８Ｂの数及びアタッチメント３０の第２のアーム３８Ｂの数を異ならせることもできる。更に、第１のアーム部２８Ｂや第２のアーム３８Ｂが、ファンの羽のように湾曲面を有することにより、気体の流れを旋回させることもできる。
【００４４】
本実施形態では、アダプタ２０及びドライヤ本体１０を機械的な着脱機構で繋いでいるが、これに限られるものではない。ドライヤ本体１０の気体出口１０Ｂ側に、磁性部材１４が取り付けられた中央部材と、中央部材から放射状に延びた複数のアーム部とを有し、放射状に延びたアーム部の外側の端部がドライヤ本体１０の外殻部１０Ｃに接続するように形成することもできる。これにより、アダプタ２０及びドライヤ本体１０の間も、磁石２４及び磁性部材１４の間の磁力で着脱可能にすることができる。
【００４５】
この場合、ドライヤ本体１０側とアタッチメント３０側とで異なる磁石２４Ａ、２４Ｂを用いることが考えられる。その場合、磁石２４Ａ、２４Ｂの大きさ、設置数等を調整して、ドライヤ本体１０との間の磁力を、アタッチメント３０との間の磁力より強くすることができる。
また、１つの磁石２４を用いて、例えば、ドライヤ本体１０側の面がアタッチメント３０側の面より大きい円錐台状のものを用いることも考えられる。これにより、ドライヤ本体１０との間の磁力を、アタッチメント３０との間の磁力より強くすることができる。これにより、アタッチメント３０の着脱時に、アダプタ２０がドライヤ本体１０から外れるのを防ぐことができる。
【００４６】
以上のように、本実施形態では、アダプタ２０が、磁石２４が固定された第１の中央部材２８Ａと、第１の中央部材２８Ａから放射状に延びた複数の第１のアーム部２８Ｂとを有し、放射状に延びた第１のアーム部２８Ｂの外側の端部がアダプタ２０の外殻部２０Ｃに接続しており、アタッチメント３０が、磁性部材３４が固定された第２の中央部材３８Ａと、第２の中央部材３８Ａから放射状に延びた複数の第２のアーム部３８Ｂを有し、放射状に延びた第２のアーム部３８Ｂの外側の端部がアタッチメント３０の外殻部３０Ｃに接続しており、複数の第１のアーム部２８Ｂの間の空間及び複数の第２のアーム部３８Ｂの間の空間を気体が流れるようになっている。
【００４７】
これにより、ドライヤ本体１０に設けられたファン４０により吸込口１０Ａから外気が吸い込まれ、流路１２内を気体が流れて気体出口１０Ｂからアダプタ２０内に流出する。一方の端部２０Ａからアダプタ２０内に流入した気体は、３本の第１のアーム部２８Ｂの間の空間を含む接続空間２２内を流れて、他方の端部２０Ｂからアタッチメント３０へ流出する。気体入口３０Ａからアタッチメント３０内に流入した気体は、３本の第２のアーム部３８Ｂの間の空間を含む内部空間３２内を流れて、気体の吐出口３０Ｂから外部へ吹き出される。
【００４８】
本実施形態では、アダプタ２０及びアタッチメント３０の略中央の位置に磁石２４及び磁性部材３４が配置されているので、１対の磁石２４及び磁性部材３４で、容易に確実に、アタッチメント３０をアダプタ２０の着脱を行うことができる。磁石２４及び磁性部材３４が略中央の位置にあるので、使用者は、アダプタ２０及びアタッチメント３０の相対的な回転位置を気にすることなく着脱をすることができる。更に、アダプタ２０及びアタッチメント３０の略中央の位置で両者の位置決めを行うことにより、コンパクトな位置決め機構が実現できる。
【００４９】
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００５０】
２      ヘアドライヤ
１０    ドライヤ本体
１０Ａ  気体の吸込口
１０Ｂ  気体出口
１０Ｃ  外殻部
１２    流路
１４    磁性部材
１６    グリップ部
１８    溝部
１９    被挿入部
２０    アダプタ
２０Ａ  一方の端部
２０Ｂ  他方の端部
２０Ｃ  外殻部
２２    接続空間
２４、２４Ａ、２４Ｂ  磁石
２６    突起部
２８    磁石保持部
２８Ａ  第１の中央部材
２８Ｂ  第１のアーム部
２９    挿入部
３０    アタッチメント
３０Ａ  気体入口
３０Ｂ  気体の吐出口
３０Ｃ  外殻部
３２    内部空間
３４    磁性部材
３６    突起形状
３８    磁性部材保持部
３８Ａ  第２の中央部材
３８Ｂ  第２のアーム部
３８Ａ１  周壁部
４０    ファン
４２    ヒータ
【要約】      （修正有）【課題】様々なアタッチメントを使用可能なヘアドライヤを提供する。【解決手段】気体の吸込口及び気体出口１０Ｂを有する流路１２、流路１２内の気体を流動させる気体流動部、及び流路１２内の気体を加熱する気体加熱部を備えたドライヤ本体１０と、気体入口３０Ａ及び気体の吐出口３０Ｂを有する内部空間３２を備えたアタッチメント３０と、一方の端部２０Ａ側がドライヤ本体１０の気体出口１０Ｂ側に取り付けられ、他方の端部２０Ｂ側がアタッチメント３０の気体入口３０Ａ側に取り付けられ、ドライヤ本体１０の流路１２及びアタッチメント３０の内部空間３２を連通させる接続空間２２を備えたアダプタ２０と、を備える。アタッチメント３０は、その磁性部材３４が、アダプタ２０の磁石２４に、磁力によって着脱可能に取り付けられ、またアダプタ２０はドライヤ本体１０に着脱可能に取り付けられる。【選択図】図９【図１】
0006944607.tif 000002
【図２】
0006944607.tif 000003
【図３】
0006944607.tif 000004
【図４】
0006944607.tif 000005
【図５】
0006944607.tif 000006
【図６】
0006944607.tif 000007
【図７】
0006944607.tif 000008
【図８Ａ】
0006944607.tif 000009
【図８Ｂ】
0006944607.tif 000010
【図９】
0006944607.tif 000011